(57)【要約】【課題】釣り用具をセッティングする際の操作性の向上を図ると共に、確実なセッティングによる緩みの防止を図ることのできる釣り用具を提供すること【解決手段】ナット３６をその外周面上に移動可能に支える雄ねじ２８を備えた釣り用具であって、雄ねじ２８上に弾力的に装着され、ナット３６の端面と、この端面と対向する移動フード３４の端面との間に挟持されたときに、これらのナット３６の端面とこれに対向する移動フード３４の端面とを互いに逆方向に付勢する柔軟性部材４０を備え、この柔軟性部材は、少なくとも雄ねじ２８に近接する側の周面が凹凸面で形成されることを特徴とする釣り用具。【選択図】　　図２
2004121050.tif 000002
【特許請求の範囲】
【請求項１】
可動部材をその外周面上に移動可能に支える支持部材を備えた釣り用具であって、前記支持部材上に弾力的に装着され、この可動部材の端面と、この端面と対向する受圧面との間に挟持されたときに、これらの可動部材の端面とこれに対向する受圧面とを互いに逆方向に付勢する柔軟性部材を備え、この柔軟性部材は、少なくとも支持部材に近接する側の周面が凹凸面で形成されることを特徴とする釣り用具。
【請求項２】
前記柔軟性部材は、前記支持部材の軸線に直交する横断面内で、円弧状の外形を形成する突部を有することを特徴とする請求項１に記載の釣り用具。
【請求項３】
前記柔軟性部材は支持部材の周部に沿って延びる環状構造を有し、前記突部は、この柔軟性部材の周部に沿って螺旋状に延びることを特徴とする請求項２に記載の釣り用具。
【発明の詳細な説明】
【０００１】
【発明の属する技術分野】
本発明は、釣り用具に関し、特に、可動部材をその外周面上に移動可能に支える支持部材を備えた釣り用具に関する。
【０００２】
【従来の技術】
従来の釣り用具には、例えば釣竿のリール固定装置として、リールの固定脚に嵌挿して釣竿本体に固定する移動カラーを、ナットあるいはダブルナットで締着し、これらの移動カラーとナットとの間、あるいは、ダブルナット間に環状のゴムワッシャーを介在させることでナットの緩みを防止したものがある。このリール固定装置では、ゴムワッシャーがその弾性で付勢することにより、ナットの緩みを防止する（例えば特許文献１参照）。
【０００３】
また、元竿の尻部内周に固定した竿尻リングとこの竿尻リングに螺合する竿尻キャップとの間にＯリングを介在させた釣竿もある（例えば特許文献２参照）。
【０００４】
【特許文献１】
実用新案登録第３０７０６８６号　（第３，４頁　図２，３）
【０００５】
【特許文献２】
実開昭６２−１３９２６７号　（第１，第２頁　図１，２）
【０００６】
【発明が解決しようとする課題】
しかし、特許文献１のリール固定装置に用いる環状のゴムワッシャーおよび特許文献２に記載の釣竿に用いるＯリングのいずれも、滑らかな外周面を有する環状体であるため、釣竿本体および竿尻キャップに近接する側の内周面が面接触し、大きな摩擦力を形成する。このため、移動し難く、ナットあるいは竿尻キャップを回転操作が困難となる。更に、このようなゴムワッシャーおよびＯリングが変形するだけで所要位置まで確実に移動しきれない場合には、所要位置までナットおよび竿尻キャップを締め込むことができない。ナットおよび尻栓キャップの締め込みが不十分な場合には、釣り操作中にナットの緩みあるいは尻栓キャップの脱落を生じる虞があり、円滑な釣り操作を阻害することになる。
【０００７】
本発明は、上述の事情に基づいてなされたもので、釣り用具をセッティングする際の操作性の向上を図ると共に、確実なセッティングによる緩みの防止を図ることのできる釣り用具を提供することを目的とする。
【０００８】
【課題を解決するための手段】
上記目的を達成する本発明の釣り用具は、可動部材をその外周面上に移動可能に支える支持部材を備えた釣り用具であって、前記支持部材上に弾力的に装着され、この可動部材の端面と、この端面と対向する受圧面との間に挟持されたときに、これらの可動部材の端面とこれに対向する受圧面とを互いに逆方向に付勢する柔軟性部材を備え、この柔軟性部材は、少なくとも支持部材に近接する側の周面が凹凸面で形成されることを特徴とする。
【０００９】
【発明の実施の形態】
図１から図６は、本発明の好ましい実施形態による釣り用具を示す。本実施形態の釣り用具は、例えば海釣り用の船竿である釣竿１０として形成してあり、特に魚釣用リール９を固定するためのリールシート１２に用いてある。
このリールシート１２は、例えば発泡樹脂材料製の前グリップ１４ａおよび後グリップ１４ｂと共にハンドル１６を形成し，このハンドル１６の先端に固定した元竿管８と穂先竿管６との間に複数の中竿管７ａ，７ｂを継合わせてある。これらの竿管には，リール９から引出した釣糸を穂先竿管６に固定したトップガイド５ａに導く複数の釣糸ガイド５ｂを取付けてある。なお、このように釣糸を竿管の外側に沿って案内することに代え、竿管の内部に沿って案内する中通し式としてもよい。
【００１０】
図２および図３に示すように、このリールシート１２は、中空構造のリールシート本体１４と、このリールシート本体１４の開口した先端部から挿入される係合部材１８とを備え、これらのリールシート本体１４と係合部材１８とは、例えばアルミニウム等の軽金属あるいは硬質の合成樹脂材料で形成してあり、この係合部材１８の内側に元竿管８の後端部が例えば接着剤を用いて固定される。本実施形態では、係合部材１８の厚肉構造に形成した端壁に径方向溝２０を形成し、リールシート本体１２に貫通させて固定した軸部材２２にこの係合溝２０を嵌合することにより、係合部材１８および元竿管８と、リールシート本体１２との間の回り止めを行う。
【００１１】
また、係合部材１８の外周部には、後端部から離隔した位置に周方向に延びるフランジ状の突条２４（図１０参照）を形成してあり、この係合部材１８に装着した袋ナット状の締付けリング２６の内周側フランジ部を、この突条２４に係止させることができる。これにより、締付けリング２６をリールシート本体１４の先端側に形成した雄ねじ部２８に螺合すると、係合部材１８が元竿８と共にリールシート本体１４内を竿尻方向に移動する。係合部材１８の径方向溝２０が軸部材２２に嵌合した状態で更に締付けリング２６を締付けると、径方向溝２０が軸部材２２に強く押付けられ、リールシート本体１４と係合部材１８とが強固に一体化される。係合部材１８に固定した前グリップ１４ａとリールシート本体１４に固定した後グリップ１４ｂとを強く握って操作した場合でも、係合部材１８とリールシート本体１４との間の相対回転を確実に防止することができる。
【００１２】
このリールシート本体１４の一側には、リール９の取付脚部を載置するリール脚載置部３０を形成してある。このリール脚載置部３０に載置した取付脚部は、リールシート本体１４の後グリップ１７ｂ側に固定した固定フード３２と、このリールシート本体１４上を軸方向に移動自在の可動部材である移動フード３４とでこのリール脚載置部３０上に押圧され、固定される。符号３２ａ，３４ａは、それぞれリールの取付脚部を固定フード３２および移動フード３４に導入するための開口を示す。
【００１３】
本実施形態では、移動フード３４の軸方向移動を規制するため、リールシート本体１４の先端側の外周面に形成した雄ねじ２８に、相対移動することができる２つのナット３６，３８を螺合してある。そして、３つの可動部材すなわち２つのナット３６，３８と移動フード３４との互いに対向する面間にそれぞれ環状構造を有する柔軟性部材４０を配置してある。本実施形態では、これらの２つのナット３６，３８の間と、ナット３６と移動フード３４との間との２つの部位に、それぞれ同様に形成した２つの柔軟性部材４０を配置してあるが、これに代え、一方の部位に１つの柔軟性部材４０のみを配置してもよい。
【００１４】
この柔軟性部材は、ゴム弾性を有するものであれば、例えばウレタン樹脂等のエラストマー、および、天然または合成ゴム材等の適宜の材料で形成することができ、不透明材料に限らず、透明材料でもよく、その色についても、適宜の色を用いることができる。いずれの場合も、柔軟性部材４０は、支持部材として作用するリールシート本体の雄ねじ２８上に弾力的に装着され、例えばナット３８を締付けたときに、このナット３８の端面と、この端面と対向するナット３６の端面で形成される受圧面との間に挟持され、このナット３８の端面と、これに対向するナット３６の端面すなわち受圧面とを互いに逆方向に押圧する。ここに、受圧面とは、柔軟性部材４０が例えばナット３８である可動部材で押圧されたときに、柔軟性部材４０から押圧力を受ける面をいう。したがって、ナット３８が可動部材である場合には、このナット３８の端面に対向するナット３６の端面が受圧面となり、ナット３６が竿尻方向に移動する可動部材である場合には、このナット３６の端面に対向する移動フード３４の端面が受圧面となる。一方、ナット３８が停止した状態で、ナット３６および移動フード３４が穂先側に移動する可動部材である場合には、それぞれナット３６に対向するナット３８の端面および移動フード３４に対向するナット３６の端面が受圧面となる。
【００１５】
図４から図６に示すように、本実施形態の柔軟性部材４０は、略円形の断面形状を有するリング状の本体部４２と、この本体部の周方向に沿って所定間隔で形成した突部４４とを有し、その周面を凹凸面で形成してある。これらの突部４４は、柔軟性部材４０との摺接部すなわナット３６，３８の端面、移動フード３４の端面および雄ねじ２８に対して点状の当接部を形成し、移動を容易とする。一方、本体部４２は、これらの突起部４４よりも伸びやすく、撓みやすい細径に形成される。
【００１６】
図５に示すように、このように周面を凹凸面で形成した柔軟性部材４０は、例えば雄ねじ２８上に装着したときに、本体部４２と雄ねじ２８の外周部との間に僅かな間隙ｓを形成する。このため、柔軟性部材４０は、突部４４を通じて雄ねじ２８に弾性力を付与すると共に、本体部４２が容易に変形可能であるため、雄ねじ２８の外径の変動に追従してこの雄ねじ２８上を容易に移動することができる。更に、突部４４が雄ねじ２８の軸線に直交する横断面内で、円弧状の外形を形成することにより、例え螺旋状のねじ溝に噛み込んだ状態でも、このねじ溝から簡単に脱出することができる。
【００１７】
この柔軟性部材４０の移動を容易とするためには、雄ねじ２８に近接する側で柔軟性部材４０の周面が凹凸面で形成されていればよい。したがって突部４４は、本体部４２を囲む小さいなリング状に形成することに代え、雄ねじ２８に当接あるいは近接する側でのみ本体部４２から突出させ、この柔軟性部材４０の半径方向内方の周面のみを凹凸面で形成することも可能である。
【００１８】
このような柔軟性部材４０は、例えば船竿の移動フード３４の緩み止めとして用いる場合には、突部４４が、図５に示すように雄ねじ２８の軸線に直交する横断面内で円弧状の外形を形成し、本体部４２の径ｄを略２ｍｍに形成したときに、本体部４２から突出する高さを０．３〜１．０ｍｍの範囲で、０．５ｍｍ程度に形成するのが好ましい。更に、突部４４は、雄ねじ２８のねじ溝内に入り込むのを防止するために、雄ねじ２８のピッチｐよりもその幅ｗを大きく形成し、本体部４２の径を略２ｍｍに形成した場合には、略３ｍｍ程度に形成することが好ましい。
【００１９】
更に、図示の柔軟性部材４０は、突部４４が本体部４２を囲む小リング状に形成されるため、雄ねじ２８上に装着したときに、突起４４が柔軟性部材４０を弾力的に支えると共に、ナット３６，３８および移動フード３４の端面に向けて、それぞれ複数の突部４４が突出する。
【００２０】
本実施形態のリールシート１２では、移動フード３４がリールの取付脚部を介して固定フード１６で移動を阻止されているため、ナット３６，３８が移動フード３４の方向に移動すると、最初に小さな力で変形可能な突起４４が、ナット３６，３８の移動量に対応して一定の比率で圧縮され、ナット３６，３８はこの柔軟性部材４０により、互いに逆方向に付勢され、ナット３６，３８の緩みしたがって移動フード３４のがたつきが防止される。
【００２１】
ナット３６，３８を更に締め込むと、突起４４が完全に変形され、より大きな力で本体部４２が圧縮されるようになる。このとき、本体部４２は、ナット３６，３８の移動量に対する突起４４の変形量とは異なる比率で変形される。このため、柔軟性部材４０の全体の変形量は、柔軟性部材４０とナット３６，３８および移動フード３４とが当接した状態から本体部４２が完全に圧縮されるまでのナット３６，３８の移動量に対して不規則に変化する。
【００２２】
柔軟性部材４０の全体すなわち本体部４２がナット３６，３８および移動フード３４の対向する端面と接触した状態では、柔軟性部材４４は、突起４４の位置する領域で強い力で付勢し、一方、この突起４４が存在しない領域では弱い力で付勢する。このため、接触面内で作用する力が不均一となり、ナット３６，３８および移動フード３４の端面に固着し難い。また、このように本体部４２がナット２２，２４および移動フード３４に当接した状態では、例えばナット３８が他の物体と衝突して回動されても、突起４４が当接する状態となり、ナット３８の緩みが防止される。
【００２３】
なお、柔軟性部材４０が透明あるいは半透明材料で形成されている場合には、その透明度から圧縮状態を検知することが可能であり、また、柔軟性部材４０の全体を着色し、あるいは突起４４を本体部４２と別個の色で着色した場合も、その色の変化から柔軟性部材の圧縮状態を検知することが可能である。また、移動フード３４を１つのナット３６のみで締付ける場合には、柔軟性部材４０は、移動フード３４とナット３６との間に配置する。この場合も、上述と同様に作用する。また、突起４４の数は、図６に示す８つに限らず、例えば２つ以上であってもよく、また、移動しやすさの点から３つ以上とするのが好ましい。また、等間隔で形成する場合には、移動がスムーズとなる。
【００２４】
このようにナット３６，３８および移動フード３４を移動する際、柔軟性部材４０は、その突部４４を介して雄ねじ２８を弾力的に付勢する点当り状態であるため、雄ねじ２８上をその軸方向に沿って容易に移動することができる。しかも、突部４４の幅ｗは、ねじピッチｐよりも大きいため、移動の際にねじ溝内に嵌まり込んで動かなくなることもない。この柔軟性部材４０がナット３６，３８および移動フード３４の動きにしたがって所要位置まで確実に移動することにより、ナット３６，３８および移動フード３４も雄ねじ２８上を所要の位置に容易かつ正確に移動させることができ、そのセッティング操作性が向上すると共に、ナット３６，３８および移動フード３４に作用する付勢力の不足による緩みを防止し、実釣中に優れた操作性を維持することができる。
【００２５】
更に、突部４４が、雄ねじ２８の軸線に直交する横断面内で円弧状の外形を形成することにより、例え螺旋状のねじ溝に噛み込まれた状態でも、このねじ溝から簡単に脱出することができる。これにより、例え雄ねじ２８上であっても、柔軟性部材４０を滑らかに移動することができる。
【００２６】
図７から図９は、柔軟性部材４０の種々の変形例を示す。なお、以下の種々の変形例および実施例に関する説明では、上述の実施形態と同様な部分には同様な符号を付し、その詳細な説明を省略する。
図７に示す柔軟性部材４０は、突部４６が螺旋状構造を有し、したがって、雄ねじ２８等の支持部材上に装着したときに、この支持部材の周部に沿って螺旋状に延びる。この柔軟性部材４０は、突部４６が連続した螺旋状に延びるため、隣接面と点当り状態で接触すると共に、支持部材の周部上を回動しやすい。なお、突部４６のみを螺旋状に形成することに代え、本体部４２の外形も螺旋状に形成し、互いに撚り合わせた紐状の外形を有する柔軟性部材として形成することも可能である。この場合、更に３条あるいは４条の螺旋を形成することも可能である。
【００２７】
図８に示す柔軟性部材４０は、突部４８を長く形成してある。突部４８は、本体部４２よりも径あるいは幅を大きく形成してあり、これにより、本体部４２を突部４８よりも伸び易く、撓み変形し易い。図示のように、柔軟性部材４０の内周側を滑らかな円状に形成し、外周側を凹凸状に形成することにより、例えば雌ねじ等の支持部材上でも移動が容易となる。勿論、上述と同様に、柔軟性部材４０の内周側を凹凸状に形成することも可能である。
【００２８】
図９に示す柔軟性部材４０は、リング状の本体部４２内に所定間隔で空間部５０を形成したものである。このような空間部５０を間隔をおいて形成することにより、空間部５０を形成した部位の断面積が空間部を形成してない部位よりも小さくなり、伸びあるいは撓み等の変形し易い部分と、これよりも変形し難い部分とが交互に配置される。
【００２９】
この柔軟性部材４０は、自然な状態では滑らかな外面を有する環状体形状を有する。そして、雄ねじ等の支持部材上に装着されると、空間部５０を形成した部位の弾性変形により、空間部５０を形成してない部位が支持部材を弾力的に押圧する。更に、支持部材の軸方向に押圧された場合にも、空間部５０を形成した部位が変形し易いため、受圧面が受ける押圧力は空間部５０を形成した部位で小さく、空間部５０を形成してない部位で大きい。したがって、支持部材の軸方向に対向する上述のナット３６，３８および移動フード３４のそれぞれの隣接する端面に対しても不均一な力で接触し、これらの端面に固着し難いことは上述柔軟性部材と同様である。雌ねじ等の支持部材の内面上に装着する場合も同様である。
【００３０】
このような空間部５０は、柔軟性部材４０内に変形し易い部位と変形し難い部位とを形成することができるものであれば、その形状および配置位置は適宜に設定することができる。このような空間部５０は、適宜の方法で形成することが可能であり、例えば成形時に注入する空気、あるいは、柔軟性部材４０を形成する樹脂材料中に予め混入させた気泡等で形成することも可能である。この場合には、その弾性あるいは変形容易性に差が形成される限り、柔軟性部材４０の中心軸を含む縦断面内で複数の空間部５０が形成されてもよい。また、空間部５０は、完全に密閉されている場合および外部と連通する場合のいずれでもよい。
図１０に示す実施形態は、上述の元竿管８の後端部を固定する係合部材１８をリールシート本体１４に固定する締付けリング２６に柔軟性部材４０を用いてある。
柔軟性部材４０は可動部材である締付けリング２６の内周側フランジ部の端面と、支持部材である係合部材１８の突条２４との間に挟持され、この突条２４の前側の端面が受圧面として作用する。また、突条２４の後側の端面で押圧される柔軟性部材４０は受圧面として作用するリールシート本体１４の前側端面（図３参照）を押圧する。
【００３１】
図１１に示す実施形態は、例えば振出し式釣り竿の竿管５２の竿尻に取付ける尻栓５４の緩み止めとして柔軟性部材４０を用いてある。
この場合には、竿管５２の雌ねじ５３に、尻栓５４の雄ねじ５５を螺合すると、この雄ねじの外方に形成される端面により柔軟性部材４０が押圧され、竿管５２の竿尻側端面で形成される受圧面を押圧する。
なお、図１０および図１１に示す実施形態では、図６に示す柔軟性部材４０を用いてあるが、図７から図９に示すいずれの柔軟性部材を用いてもよいことは明らかである。
【００３２】
以上、柔軟性部材４０について種々の変形例および実施形態との関連で説明してきたが、本発明は、それぞれの変形例および実施形態に限るものではなく、適宜に組合せ可能なことは明らかである。例えば、図６から図８に示す柔軟性部材にも、空間部を形成可能である。また、各柔軟性部材４０は、いずれも同一の材料で形成したが、これに代え、その弾性あるいは変形容易性に差のある材料を組合せて形成することも可能である。
【００３３】
【発明の効果】
以上明らかなように、本発明によると、釣り用具をセッティングする際の操作性の向上を図ると共に、確実なセッティングによる緩みの防止を図ることのできる釣り用具が提供される。
【図面の簡単な説明】
【図１】本発明の好ましい実施形態による釣竿の概略図。
【図２】図１の釣竿のリールシートを示す拡大図。
【図３】図２のリールシートの部分断面図。
【図４】図２のリールシートの雄ねじ上に装着した柔軟性部材の説明図。
【図５】図４のＶ−Ｖ線に沿う横断面図。
【図６】柔軟性部材を示し、（Ａ）は正面図、（Ｂ）はＢ−Ｂ線に沿う縦断面図。
【図７】変形例による柔軟性部材を示す図６と同様な正面図および縦断面図。
【図８】他の変形例による柔軟性部材を示す図６と同様な正面図および縦断面図。
【図９】更に他の変形例による柔軟性部材を示す横断面図。
【図１０】他の実施形態を示し、リールシート本体に接続する係合部の説明図。
【図１１】更に他の実施形態を示し、釣竿の竿尻を示す部分断面図。
【符号の説明】
１２…リールシート、１４…リールシート本体（支持部材）、２８…雄ねじ、３４…移動フード、３６，３８…ナット（可動部材）、４０…柔軟性部材。
【図１】
2004121050.tif 000003
【図２】
2004121050.tif 000004
【図３】
2004121050.tif 000005
【図４】
2004121050.tif 000006
【図５】
2004121050.tif 000007
【図６】
2004121050.tif 000008
【図７】
2004121050.tif 000009
【図８】
2004121050.tif 000010
【図９】
2004121050.tif 000011
【図１０】
2004121050.tif 000012
【図１１】
2004121050.tif 000013